(57)【要約】【課題】複数の選択肢を有する設定条件について、現在選択されている選択肢を容易に把握できる画像形成装置及び通信装置を提供する。【解決手段】表示部に表示される待機画面中に表示されている、画質の設定条件を設定するための画質キー３０を操作した場合に、画質の選択肢として、「自動」、「文字／（及び）写真」、「文字」、「写真」、「えんぴつ」、「車検証」等を示す文字及び絵図を、マトリクス状に配置された表示領域に夫々示した操作キーを含む画質設定画面が表示される。また、複数の操作キーから、例えば「写真」キーが選択された場合に、画質キー３０の表示領域内に、「写真」を示す絵図３０ａと、「写真」を示す文字３０ｂとを表示させる。【選択図】        図２
2005017855.tif 000002
【特許請求の範囲】
【請求項１】
複数の選択肢を有する設定条件に基づいて、取得した画像データを記録シートに記録する画像形成装置において、
前記設定条件が有する選択肢から１つの選択肢を選択する選択手段と、
前記設定条件を表示する表示領域内に、該設定条件について前記選択手段が選択した選択肢を表示する表示手段とを備えることを特徴とする画像形成装置。
【請求項２】
前記表示手段は、前記設定条件について選択手段が選択した選択肢を、該選択肢を示す文字及び／又は絵図で表示するように構成してあることを特徴とする請求項１に記載の画像形成装置。
【請求項３】
前記設定条件が有する複数の選択肢を、夫々を示す文字及び／又は絵図で表し、前記選択肢から１つの選択肢を受け付けるための受付画面を表示する画面表示手段と、
前記選択肢から１つの選択肢の選択を受け付ける受付手段とを備え、
前記選択手段は、前記受付手段が受け付けた選択に従った選択肢を選択するように構成してあることを特徴とする請求項１又は２に記載の画像形成装置。
【請求項４】
外部の装置と通信を行なう通信装置において、
予め設定された複数の宛先情報を、夫々の宛先情報を示す宛先名に対応させて記憶する記憶手段と、
該記憶手段に記憶してある宛先名の夫々を、マトリクス状に配置された所定の表示領域内に表示する表示手段とを備えることを特徴とする通信装置。
【発明の詳細な説明】
【０００１】
【発明の属する技術分野】
本発明は、複数の選択肢を有する設定条件について、現在選択されている選択肢を容易に認識できる画像形成装置及び通信装置に関するものである。
【０００２】
【従来の技術】
近年、プリンタ機能を有する複写機にファクシミリ機能を搭載した複合機が普及しており、このような装置においては、プリンタ機能の拡張に伴い、カラー複写機能及びカラーファクシミリ通信機能等も搭載されつつある。
このような多機能化が進む装置を利用するユーザは、夫々の機能における各種の条件を適切に設定することにより、所望する条件にて各種の機能を有効に実行させることができる。そのため、夫々の装置においては、各装置が備える機能における設定条件を適切に設定するために、操作キーが増加するとともに、ユーザによるキー操作が煩雑となっている。
【０００３】
一方、上述したような装置においては、タッチパネル方式の操作キーを用いる場合が多く、この場合、操作キーの少なくとも一部は、液晶ディスプレイ等の表示画面内に表示されるため、限られた画面領域内に各操作キーを効率よく表示する必要がある。
そこで、表示画面内に表示された複数の操作キーについて、選択されている場合と選択されていない場合とにおいて異なる色にて表示することにより、現在選択されている操作キーを明示するように構成された装置が提案されている（例えば、特許文献１参照）。
【０００４】
【特許文献１】
特開２０００−８９８９０号公報
【０００５】
【発明が解決しようとする課題】
上述した装置においては、複数の選択肢を有する設定条件を設定する場合、対応する設定画面を表示させて各設定条件についての選択肢を選択することにより、各設定条件を設定するように構成してある場合が多く、夫々の設定画面内においては、選択されている操作キーと選択されていない操作キーとを容易に判断することができる。
しかし、このような装置において、ユーザが、既に設定してある各種の設定条件を確認するためには、夫々の設定条件に対応する設定画面を再度表示させる必要があり、各処理を行なうための設定条件が複数ある場合には、夫々の設定条件において現在選択されている条件を確認することは煩雑であるという問題があった。
【０００６】
本発明は斯かる事情に鑑みてなされたものであり、各種の機能について複数の設定条件を備える場合であっても、限られた大きさの表示画面において、夫々の設定条件について選択された選択肢を有効に表示することにより、各設定条件において現在選択されている選択肢を容易にユーザに通知することができる画像形成装置及び通信装置を提供することを目的とする。
【０００７】
【課題を解決するための手段】
第１発明に係る画像形成装置は、複数の選択肢を有する設定条件に基づいて、取得した画像データを記録シートに記録する画像形成装置において、前記設定条件が有する選択肢から１つの選択肢を選択する選択手段と、前記設定条件を表示する表示領域内に、該設定条件について前記選択手段が選択した選択肢を表示する表示手段とを備えることを特徴とする。
【０００８】
第１発明による場合は、複数の選択肢を有する設定条件について、選択手段が１つの選択肢を選択し、表示手段が前記設定条件を表示する表示領域内に、選択した選択肢を表示することにより、複数の設定条件を備えた場合であっても、限られた大きさの表示画面において、夫々の設定条件について選択されている選択肢を有効に表示することができ、ユーザは、各設定条件における選択肢を容易に確認することができる。また、効率よく表示することにより、表示画面全体としての表示面積を縮小することができ、表示パネルの面積の小型化を図ることができる。
【０００９】
第２発明に係る画像形成装置は、前記表示手段は、前記設定条件について選択手段が選択した選択肢を、該選択肢を示す文字及び／又は絵図で表示するように構成してあることを特徴とする。
【００１０】
第２発明による場合は、設定条件を表示する表示領域内に表示する、現在選択されている選択肢を、該選択肢を示す文字及び／又は絵図で表示することにより、ユーザは、設定条件として選択されている選択肢を視覚的に容易に把握することができる。
【００１１】
第３発明に係る画像形成装置は、前記設定条件が有する複数の選択肢を、夫々を示す文字及び／又は絵図で表し、前記選択肢から１つの選択肢を受け付けるための受付画面を表示する画面表示手段と、前記選択肢から１つの選択肢の選択を受け付ける受付手段とを備え、前記選択手段は、前記受付手段が受け付けた選択に従った選択肢を選択するように構成してあることを特徴とする。
【００１２】
第３発明による場合は、複数の選択肢を有する設定条件について、１つの選択肢を受け付けるための受付画面を画面表示手段が表示し、表示した受付画面に従い、１つの選択肢を受付手段が受け付け、受け付けた選択肢を、現在選択されている選択肢として表示することにより、ユーザは、受付画面に従って容易に各設定条件についての選択肢を選択することができる。また、受付画面に表示される設定条件における選択肢を、夫々を示す文字及び／又は絵図で表すことにより、ユーザは、所望する選択肢を視覚的に容易に選択することができる。
【００１３】
第４発明に係る通信装置は、外部の装置と通信を行なう通信装置において、予め設定された複数の宛先情報を、夫々の宛先情報を示す宛先名に対応させて記憶する記憶手段と、該記憶手段に記憶してある宛先名の夫々を、マトリクス状に配置された所定の表示領域内に表示する表示手段とを備えることを特徴とする。
【００１４】
第４発明による場合は、予め設定された複数の宛先情報を、夫々の宛先情報を示す宛先名に対応させて記憶手段に記憶しておき、記憶してある宛先名の夫々を、マトリクス状に配置された所定の表示領域内に表示手段が表示することにより、１つの画面で複数の宛先名を表示することができ、ユーザは、所望する宛先を容易に選択することができる。
【００１５】
【発明の実施の形態】
以下に、本発明に係る画像形成装置及び通信装置を、複合機における実施の形態を示す図面に基づいて詳述する。図１は本発明に係る複合機の構成例を示すブロック図であり、図中１は複合機を示している。
この複合機１は、制御部１０、ＲＯＭ１１、ＲＡＭ１２、ＮＣＵ（Ｎｅｔｗｏｒｋ  Ｃｏｎｔｒｏｌ  Ｕｎｉｔ）１３、モデム１４、読取部１５、画像処理部１６、画像メモリ１７、操作部１８、通信インタフェース１９、記録部２０等を備えており、夫々はバス２１を介して相互に接続されている。
【００１６】
制御部１０は、具体的にはＣＰＵ（Ｃｅｎｔｒａｌ  Ｐｒｏｃｅｓｓｉｎｇ  Ｕｎｉｔ）  等で構成されており、バス２１を介して接続される上述したようなハードウェア各部を制御すると共に、ＲＯＭ１１に格納された制御プログラムに従って、種々のソフトウェア的機能を実現する。
ＲＯＭ１１は、本実施の形態に係る複合機１としての動作に必要な種々の制御プログラムを予め記憶している。また、ＲＡＭ１２は、ＳＲＡＭ又はフラッシュメモリ等で構成され、制御部１０による制御プログラムの実行時に発生するデータを一時的に記憶する。
【００１７】
モデム１４は、ファクシミリ通信が可能なファックスモデムで構成されており、ＮＣＵ１３と直接的にも接続されている。ＮＣＵ１３は、公衆電話回線網Ｌと接続されており、必要に応じてモデム１４を公衆電話回線網Ｌと接続し、公衆電話回線網Ｌを介して外部の装置との間でのファクシミリ通信を可能としている。
読取部１５は、ＣＣＤ（Ｃｈａｒｇｅ  Ｃｏｕｐｌｅｄ  Ｄｅｖｉｃｅ）等を利用したスキャナで原稿を読み取ることにより、例えばＲＧＢ表色系のカラー画像データを取得し、取得した画像データを画像処理部１６に入力する。
【００１８】
画像処理部１６は、読取部１５から取得した画像データを、例えばＣＭＹＫ表色系の画像データに変換し、また、所定の画像処理を行なって画像メモリ１７に記憶させる。
画像メモリ１７は、ＤＲＡＭ等により構成されており、画像処理部１６から取得した画像データを記憶する。
【００１９】
操作部１８は、複合機１の操作のために必要な情報を表示する液晶パネル等の表示部１８ａと、ユーザの操作により制御命令などの情報が入力されるタッチパネル又はテンキー等の入力部１８ｂとにより構成してある。
表示部１８ａは、複合機１の動作状態、複合機１として表示すべき表示画面、ユーザにより入力された通信相手のファクシミリ番号等の宛先情報及び通信の利用状態等の表示を行なう。
【００２０】
尚、ＲＯＭ１１は、表示部１８ａに各種の表示画面を表示させるための表示画面情報を予め記憶しており、表示部１８ａは、ＲＯＭ１１から読み出した表示画面情報に基づく表示画面（受付画面）を表示する画面表示手段として動作する。
また、入力部１８ｂは、コピー部数を入力するため、またはファクシミリ送信の際の宛先の電話番号を入力するためのテンキーの他、通信相手の電話番号又はファクシミリ番号等の相手先番号をメモリ登録するためのワンタッチ登録キー、登録された相手先番号を容易に選択できるワンタッチダイヤルキー、ファクシミリ通信又は複写処理等を行なう際のスタートキー等の各種のキーを備えている。
【００２１】
また、ワンタッチダイヤルキーに登録された宛先情報としての電話番号又はファクシミリ番号は、夫々を示す宛先名に対応させてＲＡＭ１２に記憶しており、ＲＡＭ１２は、宛先情報を記憶する記憶手段として動作する。
更に、本実施の形態の複合機１は、各機能を実行する際の各種の設定条件が設定されるように構成してあり、各設定条件には、夫々複数の選択肢が設けてある。例えば、設定条件として、画質、濃度、倍率及び用紙等の設定が可能に構成してあり、画質については、読取対象の画像を文字、写真等による画像として設定することができ、各種の設定条件を適切に設定することにより、処理対象の原稿画像に最適な処理を行なうことができる。
【００２２】
通信インタフェース１９は、図示しないネットワークを介して接続される外部のコンピュータ等の装置へ、画像メモリ１７に記憶してある画像データを送信し、また、外部のコンピュータ等から画像データを受信する。
記録部２０は、電子写真方式のプリンタ装置であって、画像メモリ１７に記憶してある画像データを、ハードコピーとしてＡ３縦，Ｂ４縦，Ａ４縦，Ｂ５横及びＡ５横等の各サイズの記録紙又はＯＨＰシートから最適なサイズのものを選択して記録する。
【００２３】
図２及び図３は表示部１８ａに表示される表示画面の画面構成例を示す図であり、図２（ａ）は複写機能における待機画面例を示している。
本実施の形態の複合機１においては、複写機能を用いる際の設定条件として、画質、濃度、倍率及び用紙の設定が可能に構成してあり、図２（ａ）の待機画面においては、画質の設定を行なうための画質キー３０と、濃度の設定を行なうための濃度キー３１と、倍率の設定を行なうための倍率キー３２と、用紙の設定を行なうための用紙キー３３とが表示してある。
【００２４】
また、図２（ａ）の待機画面は、中央部分に複写機１の模式図を表示することにより、現在複写機能の待機中であることを示しており、右側部分には複合機１が備える各種の機能を実行させるための複数の操作キーを有するキー群３４が表示してある。
図２（ｂ）は複写機能における画質設定画面例を示しており、ユーザが、画質の設定を行なうべく画質キー３０をオンした場合、制御部１０からの制御にて表示部１８ａは、図に示すように画質キー３０を反転表示させ、画質設定画面を表示していることをユーザに通知する。尚、選択された各キーを反転表示するだけでなく、例えば、指示棒又は指示指等を表示することにより、現在選択されているキーを明示する構成としてもよい。
【００２５】
また、図２（ｂ）の画質設定画面には、画質の選択肢として、「自動」、「文字／（及び）写真」、「文字」、「写真」、「えんぴつ」、「車検証」等が表示してあり、夫々の選択肢を示す文字及び絵図を、マトリクス状に配置された夫々の表示領域に表示してある。
これにより、表示部１８ａは、画質における設定条件の選択肢を、操作キーとしてユーザに明示することができ、操作部１８の入力部１８ｂは、ユーザが選択した選択肢を受け付ける受付手段として動作する。
【００２６】
従って、ユーザは、この画質設定画面中の所望のキーをオンすることにより、画質における設定条件を選択することができ、図２（ｂ）中では「写真」が選択されている。
また、制御部１０は、ユーザにより選択され、入力部１８ｂが受け付けた選択肢に基づいて、１つの選択肢を選択する選択手段として動作しており、表示部（表示手段）１８ａに表示された画質設定画面中の画質キー３０の表示領域内に、入力部１８ｂが受け付けた選択肢である「写真」を示す絵図３０ａ及び文字３０ｂを表示するように構成してある。
【００２７】
図２（ｃ）は複写機能における濃度設定画面例を示しており、ユーザが、濃度の設定を行なうべく濃度キー３１をオンした場合、制御部１０からの制御にて表示部１８ａは、図に示すように濃度キー３１を反転表示させ、濃度設定画面を表示していることをユーザに通知する。
また、図２（ｃ）の濃度設定画面は、濃度の選択肢として、「うすく」から「こく」までの５段階が設定してあり、夫々の選択肢を視覚的に把握できるように、各濃度をグラデーション表示にて示してある。これにより、表示部１８ａは、濃度における設定条件の選択肢を、操作キーとしてユーザに明示し、操作部１８の入力部１８ｂは、ユーザが選択した濃度についての選択肢を受け付ける。
【００２８】
従って、ユーザは、この濃度設定画面中の所望のキーをオンすることにより、濃度における設定条件を選択することができ、図２（ｃ）中では「ややこく」が選択されている。
また、制御部１０は、入力部１８ｂが受け付けた選択肢に基づいて、表示部１８ａに表示された濃度設定画面中の濃度キー３１の表示領域内に、「ややこく」を示す絵図３１ａ及び文字３１ｂを表示する。
【００２９】
図３（ａ）は複写機能における倍率設定画面例を示しており、ユーザが、倍率の設定を行なうべく倍率キー３２をオンした場合、制御部１０からの制御にて表示部１８ａは、図に示すように倍率キー３２を反転表示させ、倍率設定画面を表示していることをユーザに通知する。
また、図３（ａ）の倍率設定画面は、倍率の選択肢として、「等倍」、「縮小」、「拡大」が設定してあり、また、倍率設定画面においては、「縮小」又は「拡大」キーが選択された場合に、変倍前の用紙サイズ及び変倍後の用紙サイズに基づく変倍率を表示するように構成してある。尚、図３（ａ）においては、「縮小」キーが選択された場合を示している。
【００３０】
これにより、表示部１８ａは、倍率における設定条件の選択肢を、操作キーとしてユーザに明示し、操作部１８の入力部１８ｂは、ユーザが選択した倍率についての選択肢を受け付ける。
従って、ユーザは、この倍率設定画面中の所望のキーをオンすることにより、倍率における設定条件を選択することができ、図３（ａ）中では「７１％」が選択されており、制御部１０は、表示部１８ａに表示された倍率設定画面中の倍率キー３２の表示領域内に、「７１％」を示す文字３２ｂ及び縮小を示す絵図３２ａを表示する。
【００３１】
また、図３（ｂ）は複写機能における用紙設定画面例を示しており、ユーザが、用紙サイズの設定を行なうべく用紙キー３３をオンした場合、制御部１０からの制御にて表示部１８ａは、図に示すように用紙キー３３を反転表示させ、用紙設定画面を表示していることをユーザに通知する。
また、図３（ｂ）の用紙設定画面は、用紙の選択肢として、「Ａ４縦」、「Ａ４横」、「Ｂ４横」、「Ａ３横」等が設定してあり、夫々の選択肢を視覚的に把握できるように表示してある。これにより、表示部１８ａは、用紙における設定条件の選択肢を、操作キーとしてユーザに明示し、操作部１８の入力部１８ｂは、ユーザが選択した用紙についての選択肢を受け付ける。
【００３２】
従って、ユーザは、この用紙設定画面中の所望のキーをオンすることにより、用紙における設定条件を選択することができ、図３（ｂ）中では「Ａ３横」が選択されている。
また、制御部１０は、入力部１８ｂが受け付けた選択肢に基づいて、表示部１８ａに表示された用紙設定画面中の用紙キー３３の表示領域内に、「Ａ３横」を示す文字及び絵図３３ｂを表示する。
【００３３】
図３（ｃ）は複写機能における待機画面例を示しており、上述したように、画質設定画面、濃度設定画面、倍率設定画面及び用紙設定画面の夫々において、ユーザが各設定条件を選択し、「閉じる」キーをオンした場合、画質キー３０、濃度キー３１、倍率キー３２及び用紙キー３３の夫々の表示領域内に、夫々選択された条件を示す絵図３０ａ，３１ａ，３２ａ及び文字３０ｂ，３１ｂ，３２ｂ，３３ｂを記載した待機画面が表示される。
【００３４】
また、図４は表示部１８ａに表示されるファクシミリ機能における待機画面の画面構成例を示している。
ユーザは、ファクシミリ通信を行ないたい場合、図２（ａ）及び図３（ｃ）に示す複写機能における待機画面において、複数の操作キーを有するキー群３４中の「ファクス通信」キーをオンし、この「ファクス通信」キーがオンされた複合機１は、図４に示す待機画面を表示部１８ａに表示させる。
【００３５】
本実施の形態の複合機１においては、ファクシミリ機能を用いる際の設定条件として、画質及び濃度の設定が可能に構成してあり、図４の待機画面においては、画質の設定を行なうための画質キー３０と、濃度の設定を行なうための濃度キー３１とが表示してある。
また、濃度キー３１の下側部分には、複合機１が備える各種の機能を実行させるための複数のキー群３４が表示してある。
【００３６】
更に、この待機画面には、予めワンタッチダイヤル登録された宛先情報を示す宛先名を、マトリクス状に配置された夫々の表示領域内に表示することにより、各宛先名を一覧表示部３５として表示しており、表示部１８ａは、このような一覧表示部３５を表示する表示手段として動作する。
これにより、表示部１８ａは、予め登録してある宛先名を、操作キーとしてユーザに明示することができ、ユーザは所望する宛先を容易に探し出すことができる。
【００３７】
上述したように、表示部１８ａに表示される画面中の各設定条件を示す表示領域、例えば、画質キー３０、濃度キー３１、倍率キー３２、用紙キー３３の表示領域内において、各設定条件について現在選択されている条件（選択肢）を表示することにより、限られた大きさの表示画面において、設定された各種の設定条件を有効に表示することができ、ユーザは、各設定条件を容易に確認することができる。また、効率よく表示することにより、表示画面全体としての表示パネルを小型化することができる。
また、各画面中に表示される各設定条件についての選択肢を、該選択肢を示す文字及び／又は絵図で表示することにより、ユーザは、設定条件における選択肢を視覚的に容易に把握することができる。
【００３８】
上述した実施の形態では、設定すべき各設定条件を示す操作キーについて、選択されている操作キーを、反転表示することにより、選択されていない操作キーと区別して表示しているが、例えば、指の模式図等を利用して、現在選択されている操作キーを指し示す構成とすることにより、現在選択されている各設定条件を効率よくユーザに通知することもできる。
【００３９】
【発明の効果】
第１発明による場合は、複数の選択肢を有する設定条件について選択された１つの選択肢を、前記設定条件を表示する表示領域内に表示することにより、複数の設定条件を備えた場合であっても、限られた大きさの表示画面において、夫々の設定条件について選択されている選択肢を有効に表示することができ、ユーザは、各設定条件における選択肢を容易に確認することができる。また、効率よく表示することにより、表示画面全体としての表示面積を縮小することができ、表示パネルの面積の小型化を図ることができる。
【００４０】
第２発明による場合は、設定条件を表示する表示領域内に表示する、現在選択されている選択肢を、該選択肢を示す文字及び／又は絵図で表示することにより、ユーザは、設定条件として選択されている選択肢を視覚的に容易に把握することができる。
【００４１】
第３発明による場合は、複数の選択肢を有する設定条件について、１つの選択肢を受け付けるための受付画面を表示し、表示した受付画面に従って受け付けた１つの選択肢を、現在選択されている選択肢として表示することにより、ユーザは、受付画面に従って容易に各設定条件についての選択肢を選択することができる。また、受付画面に表示される設定条件における選択肢を、夫々を示す文字及び／又は絵図で表すことにより、ユーザは、所望する選択肢を視覚的に容易に選択することができる。
【００４２】
第４発明による場合は、予め設定された複数の宛先情報夫々に対応して記憶してある宛先名を、マトリクス状に配置された所定の表示領域内に表示手段が表示することにより、１つの画面で複数の宛先名を表示することができ、ユーザは、所望する宛先を容易に選択することができる。
【図面の簡単な説明】
【図１】本発明に係る複合機の構成例を示すブロック図である。
【図２】（ａ）は複写機能における待機画面例を示し、（ｂ）は複写機能における画質設定画面例を示し、（ｃ）は複写機能における濃度設定画面例を示す図である。
【図３】（ａ）は複写機能における倍率設定画面例を示し、（ｂ）は複写機能における用紙設定画面例を示し、（ｃ）は複写機能における待機画面例を示す図である。
【図４】ファクシミリ機能における待機画面例を示す図である。
【符号の説明】
１  複合機（画像形成装置、通信装置）
１０  制御部（選択手段）
１２  ＲＡＭ（記憶手段）
１８  操作部
１８ａ  表示部（表示手段、画面表示手段）
１８ｂ  入力部（受付手段）
【図１】
2005017855.tif 000003
【図２】
2005017855.tif 000004
【図３】
2005017855.tif 000005
【図４】
2005017855.tif 000006